(57)【要約】      （修正有）【課題】  充電器と電源が不要であり、コストが安く、一度に多数の乾電池を充電することができる。【解決手段】  再充電可能な乾電池本体１と、その乾電池本体の外周部に設け、前記乾電池本体に充電することができるソーラー電池２とで、ソーラー乾電池５Ｃを構成している。ソーラー電池５Ｃは表示装置３により、充電済みかどうか見分けることができると共に、過充電防止装置４により、乾電池本体１への過充電を防止することができる。【選択図】図３
2007287639.tif 000002
【特許請求の範囲】
【請求項１】
再充電可能な乾電池本体と、その乾電池本体の外周部に設け、前記乾電池本体に充電することができるソーラー電池とからなることを特徴とするソーラー乾電池。
【請求項２】
再充電可能な乾電池本体と、その乾電池本体の外周部に設け、前記乾電池本体に充電することができるソーラー電池と、前記乾電池本体の外周部に設け、前記乾電池本体の充電状況を表示することができる表示装置とからなることを特徴とするソーラー乾電池。
【請求項３】
再充電可能な乾電池本体と、その乾電池本体の外周部に設け、前記乾電池本体に充電することができるソーラー電池と、前記乾電池本体の外周部に設け、前記乾電池本体の充電状況を表示することができる表示装置と、前記乾電池本体に設け、前記ソーラー電池から前記乾電池本体への過充電を防止する過充電防止装置とからなることを特徴とするソーラー乾電池。
【発明の詳細な説明】
【技術分野】
【０００１】  本発明は、再充電可能な乾電池の外周部に設けたソーラー電池（太陽電池）から、充電することができる乾電池に関するものである。
【背景技術】
【０００２】  従来の乾電池は、使い捨てか、充電器で再充電して使用していた。その他の再充電背景技術として「充電式電池（１０）は、薄いダイナモ（２）を、センサーモーター（６，２２付きゼンマイを（１）同方向センサー作動振り子（５）で、薄いダイナモ（２）を、補助作動させて、電気を、発生させ携帯電話機能電池として、使用される。暗闇でも、自動ゼンマイ巻き取り機能（１２，２３）が、働き補助電源装置としての小型ソーラーパネル（１２）は、自動ゼンマイ巻き取り機能（６，２３）の、働く自動充電池（１５）である。」があるが、乾電池に設けたソーラー電池から直接充電されるものではなかった。（特許文献１参照）
【特許文献１】特開２００４−１３５４８０号公報
【発明の開示】
【発明が解決しようとする課題】
【０００３】  従来、乾電池は使い捨てか、充電器で再充電して使用していたが、使い捨て乾電池はコストがかかりすぎる欠点があり、充電器で充電する場合は、充電器への電源が必要であるとともに、一回に充電できる乾電池の個数が充電器により限られており、また未充電と充電済みの乾電池の分別が必要であった。【０００４】  本発明は以上のような従来の欠点に鑑み、充電器と電源が不要であり、コストが安く、一度に多数の充電ができる乾電池を提供することを目的としている。【０００５】  本発明の、前記ならびにそのほかの目的と新規な特徴は次の説明を添付図面と照らし合わせて読むと、より明らかになる。
ただし、図面はもっぱら解説のためのものであって、本発明の技術範囲を限定するものではない。
【課題を解決するための手段】
【０００６】  上記目的を達成するために、請求項１記載の発明は、再充電可能な乾電池本体と、その乾電池本体の外周部に設け、前記乾電池本体に充電することができるソーラー電池とでソーラー乾電池を構成している。【０００７】  請求項２記載の発明は、再充電可能な乾電池本体と、その乾電池本体の外周部に設け、前記乾電池本体に充電することができるソーラー電池と、前記乾電池本体の外周部に設け、前記乾電池本体の充電状況を表示することができる表示装置とでソーラー乾電池を構成している。【０００８】  請求項３記載の発明は、再充電可能な乾電池本体と、その乾電池本体の外周部に設け、前記乾電池本体に充電することができるソーラー電池と、前記乾電池本体の外周部に設け、前記乾電池本体の充電状況を表示することができる表示装置と、前記乾電池本体に設け、前記ソーラー電池から前記乾電池本体への過充電を防止する過充電防止装置とでソーラー乾電池を構成している。
【発明の効果】
【０００９】（１）請求項１記載の発明は、再充電可能な乾電池本体と、その乾電池本体の外周部に設け、前記乾電池本体に充電することができるソーラー電池とで構成されているので、別途充電器を使用せずに、いつでも自然光もしくは人工光によりソーラー発電した電気を、乾電池本体に充電できる効果がある。【００１０】（２）前記（１）によって、別途充電器への電源が不要であり、充電器の台数にも関係なく、光があれば一度に多数の乾電池本体に充電ができるとともに、電気の供給が絶たれた災害時にも使用できる効果がある。【００１１】（３）前記（１）によって、別途充電器を使用するための電源が不要であるので、家庭用電源や車のバッテリーなどの電源による感電を防止でき、安全に充電できる効果がある。【００１２】（４）前記（１）によって、別途充電器を使用しないので、充電器への初期投資が不要であり、安価になるとともに、自然光や人工光をこのソーラー乾電池に当てるだけと、使い方が簡単なので誰でも安全に使用できる効果がある。また、ソーラー乾電池の外寸法を、従来の乾電池とほぼ同寸法にすれば、従来の電池器具がそのまま使用できる効果がある。【００１３】（５）前記（１）によって、電池を使用する器具において、その電池収納部が透明もしくは不透明で光を透過する材質で作られていれば、その電池収納部にこのソーラー乾電池を収納するだけで光により簡単に充電できる効果がある。また、ソーラー乾電池を反射板の近くに置くことにより、反射光を有効に利用して充電できる効果がある。【００１４】（６）請求項２記載の発明は、再充電可能な乾電池本体と、その乾電池本体の外周部に設け、前記乾電池本体に充電することができるソーラー電池と、前記乾電池本体の外周部に設け、前記乾電池本体の充電状況を表示することができる表示装置とで構成されているので、前記（１）〜（５）と同様の効果が得られるとともに、充電状態を表示装置によってグラフ表示や点灯表示等で確認できるので、ソーラー乾電池に充電が行われ、再使用可能かどうかが一目で分かる効果が得られる。【００１５】（７）前記（６）によって、未充電のソーラー乾電池と、充電済みのソーラー乾電池との見分けが容易にでき、両者の分別が簡単にできる効果がある。【００１６】（８）請求項３記載の発明は、再充電可能な乾電池本体と、その乾電池本体の外周部に設け、前記乾電池本体に充電することができるソーラー電池と、前記乾電池本体の外周部に設け、前記乾電池本体の充電状況を表示することができる表示装置と、前記乾電池本体に設け、前記ソーラー電池から前記乾電池本体への過充電を防止する過充電防止装置とで構成されているので、前記（１）〜（７）と同様の効果が得られるとともに、ソーラー乾電池を、自然光や人工光に長時間さらしておいても、ソーラー電池による乾電池への過充電を防止できる効果が得られる。
【発明を実施するための最良の形態】
【００１７】
【００１８】  以下、図面に示す実施の形態により、本発明を詳細に説明する。【００１９】  図１に示す本発明の第１の実施形態において、１は再充電可能な乾電池本体で、＋電極１Ａと−電極１Ｂを有している。前記乾電池本体１の外周部に、乾電池本体１に充電することができるソーラー電池２が設けてある。【００２０】  上記構成のソーラー乾電池５Ａを再充電する場合、電流電圧が低下したソーラー乾電池５Ａに、自然光や人工光をあて、ソーラー電池２による発電で乾電池本体１に充電する。【００２１】  したがって、別途充電器を使用せずに、いつでも自然光もしくは人工光によりソーラー発電した電気を、乾電池本体１に充電することができる効果がある。【００２２】  また、別途の充電器が不要であるので、電源もいらず、充電器の台数に制限されることなく、光があれば一度に多数の乾電池本体１に充電できるとともに、電気の供給が絶たれた災害時にも使用できる効果がある。【００２３】  また、別途の充電器を使用しないので、充電器のための家庭用電源や車のバッテリーなどでの感電による危険性もなく、安全に充電できる効果がある。【００２４】  また、別途の充電器を使用しないので、充電のための初期投資が不要であり、安価である。【００２５】  また、構造が簡単であり、容易に実施できると共に、自然光や人工光をこのソーラー乾電池５Ａに当てるだけと、使い方が簡単なので、誰でも安全に使用することができる。また、ソーラー乾電池の外寸法を、従来の乾電池とほぼ同寸法にすれば、従来の電池器具がそのまま使用できる効果がある。【００２６】  電池を使用する器具において、その電池収納部が透明もしくは不透明で光を透過する材質で作られていれば、その電池収納部にこのソーラー乾電池５Ａを収納し自然光や人工光を当てるだけで簡単に充電できる効果がある。また、ソーラー乾電池５Ａを反射板の近くに置くことにより、反射光を有効に利用して充電できる効果がある。
【実施例】
【００２７】  次に、図２に示す本発明の異なる実施の形態について説明する。なお、これらの本発明の異なる実施の形態の説明に当たって、前記本発明の第１の実施の形態と同一構成部分には同一符号を付して重複する説明を省略する。【００２８】  図２に示す本発明の第２の実施形態において、前記本発明の第１の実施の形態と主に異なる点は、乾電池本体１の外周部に、充電状況を表示することができる表示装置３を設けた点で、このように構成したソーラー乾電池５Ｂは、充電状態を表示装置３によってグラフ表示や点灯表示等で確認でき、ソーラー乾電池５Ｂに充電が行われ再使用可能かどうかが分かる効果と、未充電のソーラー乾電池５Ｂと、充電済みのソーラー乾電池５Ｂとの見分けが容易にでき、両者の分別が簡単にできる効果とともに、前記本発明の第１の実施の形態と同様な作用効果が得られる。【００２９】  図３に示す本発明の第３の実施形態において、前記本発明の第１の実施の形態ならびに、第２の実施の形態と主に異なる点は、乾電池本体１に過充電防止装置４を設けた点で、このように構成したソーラー乾電池５Ｃは、ソーラー電池２による乾電池本体１への過充電を防止できる効果とともに、前記本発明の第１の実施の形態ならびに、第２の実施の形態と同様な作用効果が得られる。
【図面の簡単な説明】
【００３０】
【図１】本発明の、第１の実施の形態の斜視図。
【図２】本発明の、第２の実施の形態の斜視図。
【図３】本発明の、第３の実施の形態の斜視図。
【符号の説明】
【００３１】１：乾電池本体
１Ａ：＋電極
１Ｂ：−電極
２：ソーラー電池
３：表示装置
４：過充電防止装置
５Ａ、５Ｂ、５Ｃ：ソーラー乾電池
【図１】
2007287639.tif 000003
【図２】
2007287639.tif 000004
【図３】
2007287639.tif 000005